【手続補正書】
【提出日】平成21年11月12日(2009.11.12)
【手続補正１】
【補正対象書類名】特許請求の範囲
【補正対象項目名】全文
【補正方法】変更
【補正の内容】
【特許請求の範囲】
【請求項１】
複数の辞書データを記憶する第１記憶手段と、
前記第１記憶手段に記憶されている辞書データから辞書グループに設定する辞書を選択するための辞書選択手段と、
前記辞書選択手段で選択した辞書データの種類名を記憶する第２記憶手段と、
第１表示手段と、
タッチパネルからなる第２表示手段と、
前記第１表示手段に前記第１記憶手段に記憶された辞書データの種類名を表示させる指示を行うための辞書メニュー選択手段と、
前記辞書メニュー選択手段の操作により、前記第１表示手段に、前記第１記憶手段に記憶した辞書データの種類名を表示させると共に、前記第２表示手段に、前記第２記憶手段に記憶した辞書データの種類名から所定数を表示させる表示制御手段と、
を備えたことを特徴とする電子辞書装置。
【請求項２】
電源をオン・オフするためのスイッチ手段をさらに備え、
前記表示制御手段は、前記スイッチ手段により、電源をオフする際、前記第１表示手段に表示させた情報を前記第２記憶手段に記憶させ、次に電源をオンする際、前記第２記憶手段に記憶させた辞書データの種類名から所定数を前記第２表示手段に表示させることを特徴とする請求項１に記載の電子辞書装置。
【請求項３】
前記表示制御手段は、前記第２記憶手段に記憶した辞書データの種類名から所定数を前記第２表示手段に表示させた状態で、特定の辞書データの種類名がタッチ操作されて選択されると、前記第１表示手段に、選択された辞書データの検索画面を表示すると共に、前記第２表示手段に手書き入力画面を表示させることを特徴とする請求項１又は２に記載の電子辞書装置。
【請求項４】
前記表示制御手段は、選択された辞書データの種類に応じて、前記第２表示手段に表示させる入力モードを変更させることを特徴とする請求項３に記載の電子辞書装置。
【請求項５】
辞書データの選択、及び、検索の入力を行うための入力手段を備え、
前記表示制御手段は、前記第１表示手段に、選択された辞書データの検索画面が表示された状態で、前記入力手段の操作、又は、前記第２表示手段のタッチパネル操作により検索が行われると、前記第１表示手段に説明文表示画面を表示させると共に、前記第２表示手段に移行先選択画面を表示させることを特徴とする請求項３又は４に記載の電子辞書装置。
【請求項６】
前記第２表示手段に表示される移行先選択画面は、リスト表示部を備え、
前記表示制御手段は、前記移行先選択画面でリスト表示部が選択されることにより、前記第２表示手段での表示を、辞書選択画面に変更することを特徴とする請求項５に記載の電子辞書装置。
【請求項７】
複数の辞書データを記憶し、
記憶した辞書データから辞書グループに設定する辞書が選択されると、選択された辞書データの種類名を記憶し、
第１表示手段に、記憶した辞書データの種類名を表示させ、
第２表示手段に、記憶した辞書データの種類名から所定数を表示させることを特徴とする２画面表示制御方法。
【手続補正２】
【補正対象書類名】明細書
【補正対象項目名】発明の名称
【補正方法】変更
【補正の内容】
【発明の名称】電子辞書装置、及び、２画面表示制御方法
【手続補正３】
【補正対象書類名】明細書
【補正対象項目名】０００１
【補正方法】変更
【補正の内容】
【０００１】
本発明は、２画面を備えた電子辞書装置、及び、２画面表示制御方法に関するものである。
【手続補正４】
【補正対象書類名】明細書
【補正対象項目名】０００５
【補正方法】変更
【補正の内容】
【０００５】
そこで、本発明は、操作性をさらに向上でき、使い勝手をより一層高めることのできる電子辞書装置、及び、２画面表示制御方法を提供することを課題とする。
【手続補正５】
【補正対象書類名】明細書
【補正対象項目名】０００６
【補正方法】変更
【補正の内容】
【０００６】
本発明は、前記課題を解決するための手段として、
電子辞書装置を、
複数の辞書データを記憶する第１記憶手段と、
前記第１記憶手段に記憶されている辞書データから辞書グループに設定する辞書を選択するための辞書選択手段と、
前記辞書選択手段で選択した辞書データの種類名を記憶する第２記憶手段と、
第１表示手段と、
タッチパネルからなる第２表示手段と、
前記第１表示手段に前記第１記憶手段に記憶された辞書データの種類名を表示させる指示を行うための辞書メニュー選択手段と、
前記辞書メニュー選択手段の操作により、前記第１表示手段に、前記第１記憶手段に記憶した辞書データの種類名を表示させると共に、前記第２表示手段に、前記第２記憶手段に記憶した辞書データの種類名から所定数を表示させる表示制御手段と、
を備えた構成としたものである。
【手続補正６】
【補正対象書類名】明細書
【補正対象項目名】０００７
【補正方法】変更
【補正の内容】
【０００７】
この構成により、第１表示手段に辞書データの種類名を表示させ、表示制御手段により、自動的に第２表示手段に、辞書データの種類名から所定数を表示させることができる。したがって、ユーザは第２表示手段での表示内容に従ってスムーズに次の処理を実行することができる。
【手続補正７】
【補正対象書類名】明細書
【補正対象項目名】０００８
【補正方法】変更
【補正の内容】
【０００８】
電源をオン・オフするためのスイッチ手段をさらに備え、
前記表示制御手段は、前記スイッチ手段により、電源をオフする際、前記第１表示手段に表示させた情報を前記第２記憶手段に記憶させ、次に電源をオンする際、前記第２記憶手段に記憶させた辞書データの種類名から所定数を前記第２表示手段に表示させるようにしてもよい。
【手続補正８】
【補正対象書類名】明細書
【補正対象項目名】０００９
【補正方法】変更
【補正の内容】
【０００９】
この構成により、スイッチ手段で電源をオンすると、前回電源をオフした際に第１表示手段に表示させた情報に基づいて、次に電源をオンする際、第２表示手段に、記憶させた辞書データの種類名を所定数だけ自動的に表示させることができる。
【手続補正９】
【補正対象書類名】明細書
【補正対象項目名】００１０
【補正方法】変更
【補正の内容】
【００１０】
前記表示制御手段は、前記第２記憶手段に記憶した辞書データの種類名から所定数を前記第２表示手段に表示させた状態で、特定の辞書データの種類名がタッチ操作されて選択されると、前記第１表示手段に、選択された辞書データの検索画面を表示すると共に、前記第２表示手段に手書き入力画面を表示させるようにしてもよい。
【手続補正１０】
【補正対象書類名】明細書
【補正対象項目名】００１１
【補正方法】変更
【補正の内容】
【００１１】
この構成により、従来、キー操作に頼っていた入力作業を手書きで行うことができるので、キー操作に慣れていない人にとっても非常に入力しやすくなる。しかも、第２表示手段で手書き入力できるので、第１表示手段に表示された内容を確認しながらの入力作業が可能となり、非常に使い勝手がよい。
【手続補正１１】
【補正対象書類名】明細書
【補正対象項目名】００１２
【補正方法】変更
【補正の内容】
【００１２】
前記表示制御手段は、選択された辞書データの種類に応じて、前記第２表示手段に表示させる入力モードを変更させるようにしてもよい。
【手続補正１２】
【補正対象書類名】明細書
【補正対象項目名】００１３
【補正方法】変更
【補正の内容】
【００１３】
この構成により、選択した辞書に応じて手書き入力での入力モードが自動的に設定されるので、手書きされた文字の認識精度を高めることが可能となる。
【手続補正１３】
【補正対象書類名】明細書
【補正対象項目名】００１４
【補正方法】変更
【補正の内容】
【００１４】
辞書データの選択、及び、検索の入力を行うための入力手段を備え、
前記表示制御手段は、前記第１表示手段に、選択された辞書データの検索画面が表示された状態で、前記入力手段の操作、又は、前記第２表示手段のタッチパネル操作により検索が行われると、前記第１表示手段に説明文表示画面を表示させると共に、前記第２表示手段に移行先選択画面を表示させるようにしてもよい。
【手続補正１４】
【補正対象書類名】明細書
【補正対象項目名】００１５
【補正方法】変更
【補正の内容】
【００１５】
前記第２表示手段に表示される移行先選択画面は、リスト表示部を備え、
前記表示制御手段は、前記移行先選択画面でリスト表示部が選択されることにより、前記第２表示手段での表示を、辞書選択画面に変更するようにしてもよい。
【手続補正１５】
【補正対象書類名】明細書
【補正対象項目名】００１６
【補正方法】変更
【補正の内容】
【００１６】
ここに、辞書データの種類名情報とは、辞書を特定するために、辞書毎に割り当てた固有のコード番号や、辞書名そのものが含まれる。要は、辞書を特定可能な情報であればよい。また、辞書の種類名には、国語辞典、漢和辞典等の辞書名そのもののほか、略語（国語辞典であれば「国」、漢和辞典であれば「漢」等）、アイコン等、ユーザがいずれの辞書であるのかを特定可能なものが含まれる。
【手続補正１６】
【補正対象書類名】明細書
【補正対象項目名】００１７
【補正方法】変更
【補正の内容】
【００１７】
この構成により、第２表示手段に表示させる辞書データの種類名を記憶させておく必要がなく、第１抽出手段によって抽出した辞書データの種類名情報に基づいて表示することができるので、記憶容量を抑制しつつ、表示内容を一元管理した安定したものとすることができ、使い勝手を向上させることが可能となる。
【手続補正１７】
【補正対象書類名】明細書
【補正対象項目名】００１８
【補正方法】変更
【補正の内容】
【００１８】
本発明は、前記課題を解決するための手段として、
２画面表示制御方法を、
複数の辞書データを記憶し、
記憶した辞書データから辞書グループに設定する辞書が選択されると、選択された辞書データの種類名を記憶し、
第１表示手段に、記憶した辞書データの種類名を表示させ、
第２表示手段に、記憶した辞書データの種類名から所定数を表示させるものとしている。
【手続補正１８】
【補正対象書類名】明細書
【補正対象項目名】００１９
【補正方法】削除
【補正の内容】
【手続補正１９】
【補正対象書類名】明細書
【補正対象項目名】００２０
【補正方法】削除
【補正の内容】
【手続補正２０】
【補正対象書類名】明細書
【補正対象項目名】００２１
【補正方法】削除
【補正の内容】
【手続補正２１】
【補正対象書類名】明細書
【補正対象項目名】００２２
【補正方法】削除
【補正の内容】
【手続補正２２】
【補正対象書類名】明細書
【補正対象項目名】００２３
【補正方法】削除
【補正の内容】
【手続補正２３】
【補正対象書類名】明細書
【補正対象項目名】００２４
【補正方法】削除
【補正の内容】
【手続補正２４】
【補正対象書類名】明細書
【補正対象項目名】００２５
【補正方法】削除
【補正の内容】
【手続補正２５】
【補正対象書類名】明細書
【補正対象項目名】００２６
【補正方法】削除
【補正の内容】
【手続補正２６】
【補正対象書類名】明細書
【補正対象項目名】００２７
【補正方法】削除
【補正の内容】
【手続補正２７】
【補正対象書類名】明細書
【補正対象項目名】００２８
【補正方法】削除
【補正の内容】
【手続補正２８】
【補正対象書類名】明細書
【補正対象項目名】００２９
【補正方法】削除
【補正の内容】
【手続補正２９】
【補正対象書類名】明細書
【補正対象項目名】００３０
【補正方法】削除
【補正の内容】
【手続補正３０】
【補正対象書類名】明細書
【補正対象項目名】００３１
【補正方法】削除
【補正の内容】
【手続補正３１】
【補正対象書類名】明細書
【補正対象項目名】００３２
【補正方法】変更
【補正の内容】
【００３２】
本発明によれば、第１表示手段に辞書データの種類名を表示させ、表示制御手段により、自動的に第２表示手段に、辞書データの種類名から所定数を表示させることができる。したがって、ユーザは第２表示手段での表示内容に従ってスムーズに次の処理を実行することができる。